【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
少なくとも１台の利用者操作端末と、仲介サーバと、証明書管理サーバと、文書発行サーバとを含む文書交付システムであって、
前記利用者操作端末は、
該利用者操作端末のカードリーダにセットされた利用者のＩＤカードに記憶された電子証明書を読み取る証明書読取手段と、
利用者からの申請情報の入力を受け付ける入力受付手段と、
前記証明書読取手段により読み取った電子証明書と前記入力受付手段により受け付けた申請情報とを前記仲介サーバに送信する申請情報送信手段と、
該利用者操作端末のカードリーダにセットされたＩＤカードに、前記仲介サーバから受信したハッシュデータと該ＩＤカードに含まれる秘密鍵とに基づいて暗号化ハッシュデータを生成させ、該暗号化ハッシュデータを前記仲介サーバに送信する暗号化ハッシュデータ送信手段と、
申請受理情報が記録された記録媒体から申請受理情報を読取部で読み取り、該申請受理情報を前記仲介サーバに送信する申請受理情報送信手段と、
前記仲介サーバから受信した文書データを記録媒体に記録し出力する文書出力手段と、
を備え、
前記仲介サーバは、
利用者操作端末から受信した電子証明書と申請情報とを前記文書発行サーバに送信し、該電子証明書に関連付けられた利用者と該申請情報に関連付けられた利用者とが同一であるか否かを問い合わせる問合手段と、
前記問合手段にて同一の利用者と判定された場合、前記申請情報に基づいたハッシュデータを前記利用者操作端末に送信するハッシュデータ送信手段と、
前記申請情報と利用者操作端末から受信した暗号化ハッシュデータとを含む申請受理情報を生成する生成手段と、
前記生成手段による申請受理情報の生成の有無に基づいて、対応する申請情報を送信した前記利用者操作端末に申請受理の結果を送信する送信手段と、
前記生成手段により申請受理情報を生成した後、予め指定された時間が経過後、該申請受理情報に関連する電子証明書が有効か否かを前記証明書管理サーバの管理する電子証明書失効リストに基づいて確認する確認手段と、
前記確認手段にて前記電子証明書が有効と確認された場合、該電子証明書に含まれる利用者の氏名および住所を宛先として前記申請受理情報が記録された媒体を利用者に送達するために、該申請受理情報を記録媒体に出力する申請受理情報出力手段と、
前記申請情報に基づいて前記文書発行サーバに文書データの発行を依頼し、発行された文書データを受信し格納する文書データ格納手段と、
利用者操作端末から受信した申請受理情報に含まれる暗号化ハッシュデータに基づいて、該申請受理情報の改ざんを検出する検出手段と、
前記検出手段により前記申請受理情報が改ざんされていないことを確認した場合、該申請受理情報に関連する文書データを前記文書データ格納手段から読み出し、該文書データを利用者操作端末に送信する文書データ送信手段と、
を備える文書交付システム。
【請求項２】
利用者端末から受信された電子証明書に関連付けられた利用者と、前記利用者端末から受信された申請情報に関連付けられた利用者とが同一であるかを問い合わせる問合手段と、
前記問合手段にて同一の利用者と判定された場合、前記申請情報に基づいたハッシュデータを前記利用者操作端末に対して送信するハッシュデータ送信手段と、
前記申請情報と利用者操作端末から受信したハッシュデータとを含む申請受理情報を生成する生成手段と、
利用者端末から申請情報を受信してから予め指定された時間が経過後、該申請受理情報に関連する電子証明書が有効か否かを確認する確認手段と、
前記確認手段にて前記電子証明書が有効と確認された場合、申請受理情報に関連する情報を出力する出力手段と、
を備える情報処理装置。
【請求項３】
前記確認手段にて前記電子証明書が有効と確認された場合、該電子証明書に含まれる利用者の氏名および住所を宛先として前記申請受理情報が印刷された媒体を利用者に送付するために、前記出力手段は、該申請受理情報を印刷するための用紙に対して前記申請受理情報に関連する情報を出力する請求項２に記載の情報処理装置。
【請求項４】
読み取り部と印刷部とを有する画像処理装置において、
カードリーダにセットされた利用者のＩＤカードに記憶された電子証明書を読み取る証明書読取手段と、
申請情報の入力を受け付ける入力受付手段と、
前記証明書読取手段により読み取った電子証明書と前記入力受付手段により受け付けた申請情報とを仲介サーバに対して送信する申請情報送信手段と、
前記画像処理装置のカードリーダにセットされたＩＤカードに、前記仲介サーバから受信したハッシュデータと該ＩＤカードに含まれる秘密鍵とに基づいて暗号化ハッシュデータを生成させ、該暗号化ハッシュデータを前記仲介サーバに送信する暗号化ハッシュデータ送信手段と、
暗号化ハッシュデータの画像情報と申請受理情報とが印刷された用紙を読取部で読み取り、該申請受理情報を前記仲介サーバに送信する申請受理情報送信手段と、
前記仲介サーバから受信した文書データを用紙に前記印刷部を用いて出力する出力手段と、
を備える画像処理装置。
【請求項５】
問合手段が、利用者端末から受信された電子証明書に関連付けられた利用者と、前記利用者端末から受信された申請情報に関連付けられた利用者とが同一であるかを問い合わせる問合工程と、
ハッシュデータ送信手段が、前記問合工程にて同一の利用者と判定された場合、前記申請情報に基づいたハッシュデータを前記利用者操作端末に対して送信するハッシュデータ送信工程と、
生成手段が、前記申請情報と利用者操作端末から受信したハッシュデータとを含む申請受理情報を生成する生成工程と、
確認手段が、利用者端末から申請情報を受信してから予め指定された時間が経過後、該申請受理情報に関連する電子証明書が有効か否かを確認する確認工程と、
出力手段が、前記確認工程にて前記電子証明書が有効と確認された場合、申請受理情報に関連する情報を出力する出力工程と、
を備える情報処理装置の制御方法。
【請求項６】
前記確認工程にて前記電子証明書が有効と確認された場合、該電子証明書に含まれる利用者の氏名および住所を宛先として前記申請受理情報が印刷された媒体を利用者に送付するために、前記出力手段は、該申請受理情報を印刷するための用紙に対して前記申請受理情報に関連する情報を出力する請求項５に記載の情報処理装置の制御方法。
【請求項７】
読み取り部と印刷部とを有する画像処理装置の制御方法であって、
証明書読取手段が、カードリーダにセットされた利用者のＩＤカードに記憶された電子証明書を読み取る証明書読取工程と、
入力受付手段が、申請情報の入力を受け付ける入力受付工程と、
申請情報送信手段が、前記証明書読取工程により読み取った電子証明書と前記入力受付工程により受け付けた申請情報とを仲介サーバに対して送信する申請情報送信工程と、
暗号化ハッシュデータ送信手段が、前記画像処理装置のカードリーダにセットされたＩＤカードに、前記仲介サーバから受信したハッシュデータと該ＩＤカードに含まれる秘密鍵とに基づいて暗号化ハッシュデータを生成させ、該暗号化ハッシュデータを前記仲介サーバに送信する暗号化ハッシュデータ送信工程と、
申請受理情報送信手段が、暗号化ハッシュデータの画像情報と申請受理情報とが印刷された用紙を読取部で読み取り、該申請受理情報を前記仲介サーバに送信する申請受理情報送信工程と、
出力手段が、前記仲介サーバから受信した文書データを用紙に前記印刷部を用いて出力する出力工程と、
を備える画像処理装置の制御方法。
【請求項８】
利用者端末から受信された電子証明書に関連付けられた利用者と、前記利用者端末から受信された申請情報に関連付けられた利用者とが同一であるかを問い合わせる問合工程と、
前記問合工程にて同一の利用者と判定された場合、前記申請情報に基づいたハッシュデータを前記利用者操作端末に対して送信するハッシュデータ送信工程と、
前記申請情報と利用者操作端末から受信したハッシュデータとを含む申請受理情報を生成する生成工程と、
利用者端末から申請情報を受信してから予め指定された時間が経過後、該申請受理情報に関連する電子証明書が有効か否かを確認する確認工程と、
前記確認工程にて前記電子証明書が有効と確認された場合、申請受理情報に関連する情報を出力する出力工程と、
をコンピュータに実行させるためのプログラム。
【請求項９】
読み取り部と印刷部とを有する画像処理装置の制御プログラムであって、
カードリーダにセットされた利用者のＩＤカードに記憶された電子証明書を読み取る証明書読取工程と、
申請情報の入力を受け付ける入力受付工程と、
前記証明書読取工程により読み取った電子証明書と前記入力受付工程により受け付けた申請情報とを仲介サーバに対して送信する申請情報送信工程と、
前記画像処理装置のカードリーダにセットされたＩＤカードに、前記仲介サーバから受信したハッシュデータと該ＩＤカードに含まれる秘密鍵とに基づいて暗号化ハッシュデータを生成させ、該暗号化ハッシュデータを前記仲介サーバに送信する暗号化ハッシュデータ送信工程と、
暗号化ハッシュデータの画像情報と申請受理情報とが印刷された用紙を読取部で読み取り、該申請受理情報を前記仲介サーバに送信する申請受理情報送信工程と、
前記仲介サーバから受信した文書データを用紙に前記印刷部を用いて出力する出力工程と、
をコンピュータに実行させるためのプログラム。
【手続補正２】
【補正対象書類名】明細書
【補正対象項目名】０００７
【補正方法】変更
【補正の内容】
【０００７】
上述の問題点の１つ以上を解決するために、本発明の情報処理装置は、以下の構成を備える。すなわち、利用者端末から受信された電子証明書に関連付けられた利用者と、前記利用者端末から受信された申請情報に関連付けられた利用者とが同一であるかを問い合わせる問合手段と、前記問合手段にて同一の利用者と判定された場合、前記申請情報に基づいたハッシュデータを前記利用者操作端末に対して送信するハッシュデータ送信手段と、前記申請情報と利用者操作端末から受信したハッシュデータとを含む申請受理情報を生成する生成手段と、利用者端末から申請情報を受信してから予め指定された時間が経過後、該申請受理情報に関連する電子証明書が有効か否かを確認する確認手段と、前記確認手段にて前記電子証明書が有効と確認された場合、申請受理情報に関連する情報を出力する出力手段と、を備える。
【手続補正３】
【補正対象書類名】明細書
【補正対象項目名】０００８
【補正方法】変更
【補正の内容】
【０００８】
上述の問題点の１つ以上を解決するために、本発明の画像処理装置は、以下の構成を備える。すなわち、読み取り部と印刷部とを有する画像処理装置において、カードリーダにセットされた利用者のＩＤカードに記憶された電子証明書を読み取る証明書読取手段と、申請情報の入力を受け付ける入力受付手段と、前記証明書読取手段により読み取った電子証明書と前記入力受付手段により受け付けた申請情報とを仲介サーバに対して送信する申請情報送信手段と、前記画像処理装置のカードリーダにセットされたＩＤカードに、前記仲介サーバから受信したハッシュデータと該ＩＤカードに含まれる秘密鍵とに基づいて暗号化ハッシュデータを生成させ、該暗号化ハッシュデータを前記仲介サーバに送信する暗号化ハッシュデータ送信手段と、暗号化ハッシュデータの画像情報と申請受理情報とが印刷された用紙を読取部で読み取り、該申請受理情報を前記仲介サーバに送信する申請受理情報送信手段と、前記仲介サーバから受信した文書データを用紙に前記印刷部を用いて出力する出力手段と、を備える。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】